(57)【要約】【課題】磁気ヘッドユニットを交換しても、磁気ヘッドユニットの接続部を容易に位置決めと固定をすることができる磁気ヘッドユニットを提供すること。【解決手段】本発明の磁気ヘッドユニットは、ディスクに信号を書き込む又は／及びディスクから信号を読み取るスライダと、前記スライダを取り付けるフラットな形状であるジンバルと、前記ジンバルに固定され他の機器と接続する接続部と、を有する磁気ヘッドアセンブリと、前記磁気ヘッドアセンブリを位置決めと固定を行う位置決め部と、を有する。【選択図】図１
2014017032.tif 000002
【特許請求の範囲】
【請求項１】
ディスクに信号を書き込む又は／及びディスクから信号を読み取るスライダと、前記スライダを取り付けるフラットな形状であるジンバルと、前記ジンバルに固定され他の機器と接続する接続部と、を有する磁気ヘッドアセンブリと、
前記磁気ヘッドアセンブリを位置決めと固定を行う位置決め部と、
を有する磁気ヘッドユニット。
【請求項２】
前記位置決め部は、前記接続部の外形の少なくとも一部を基準として前記接続部を位置決めと固定を行うものを含む請求項１記載の磁気ヘッドユニット。
【請求項３】
前記接続部と前記他の機器と接続された他の接続部と導通させる接触部を有する請求項１又は２に記載の磁気ヘッドユニット。
【請求項４】
前記接触部は、前記接続部と接触する部分を押圧する弾性力を有し、前記他の接触部と接触する部分を押圧する前記接続部を押圧する弾性力とは異なる他の弾性力を有する請求項３記載の磁気ヘッドユニット。
【請求項５】
請求項１乃至４に記載された磁気ヘッドユニットと、
前記磁気ヘッドユニットを検査する装置と、
を有する磁気ヘッド検査装置。
【発明の詳細な説明】
【技術分野】
【０００１】
本発明は、磁気ヘッドユニット及び磁気ヘッド検査装置に関するもので、特に、ジンバルに磁気ヘッドが取り付けられたヘッドジンバルアセンブリの交換に関するものである。
【背景技術】
【０００２】
特許文献１に記載の磁気ヘッド検査装置及び磁気ディスク検査装置へ用いるのに好適な磁気ヘッド位置決め装置は、固定部と、固定部に取り付けられた少なくとも１つのリニア駆動素子と、リニア駆動素子の先端にリニア駆動素子の伸縮方向の中心線に対して左右に配置した複数のヒンジと、それぞれのヒンジからの接続部がアームの根元においてアームの長手方向の中心線に対して左右に接続されており、ヒンジの接続部間の距離に対しアームの長さが大きく、先端にヘッドジンバルアセンブリが着脱可能であるアームとを有するものである。
検査対象となるヘッドジンバルアセンブリを交換することで、磁気ヘッド検査を行うことができる。
【先行技術文献】
【特許文献】
【０００３】
【特許文献１】特開２０１０−２２５２４７号公報
【発明の概要】
【発明が解決しようとする課題】
【０００４】
磁気ヘッド検査装置で検査される着脱して交換されるヘッドジンバルアセンブリには、ヘッドジンバルアセンブリ以外の他の機器と接続する基板がアセンブリされている。この基板は、ヘッドジンバルアセンブリを交換するたびに、他の機器と接続をきちんと取る必要があるが、特許文献１にはその点については触れていない。
ヘッドジンバルアセンブリが小さくなるにつれて基板自体が小さくなるので、基板に設けられたパッドも小さくなってしまい、ヘッドジンバルアセンブリを交換するたびにそのパッドと導通するのは、困難となっている。
【課題を解決するための手段】
【０００５】
本発明の磁気ヘッドユニットは、ディスクに信号を書き込む又は／及びディスクから信号を読み取るスライダと、前記スライダを取り付けるフラットな形状であるジンバルと、前記ジンバルに固定され他の機器と接続する接続部と、を有する磁気ヘッドアセンブリと、前記磁気ヘッドアセンブリを位置決めと固定を行う位置決め部と、を有するものである。
【０００６】
本発明の磁気ヘッドユニットの前記位置決め部は、前記接続部の外形の少なくとも一部を基準として前記接続部を位置決めと固定を行う。
本発明の磁気ヘッドユニットは、前記接続部と前記他の機器と接続された他の接続部と導通させる接触部を有するものである。
【０００７】
本発明の磁気ヘッドユニットの前記接触部は、前記接続部と接触する部分を押圧する弾性力を有し、前記他の接触部と接触する部分を押圧する前記接続部を押圧する弾性力とは異なる他の弾性力を有する。
【０００８】
また、本発明の磁気ヘッド検査装置は、上記磁気ヘッドユニットと、前記磁気ヘッドユニットを検査する装置と、を有するものである。
【発明の効果】
【０００９】
磁気ヘッドユニットを交換しても、磁気ヘッドユニットの接続部を容易に位置決めと固定をすることができる。
【図面の簡単な説明】
【００１０】
【図１】本発明の磁気ヘッドユニットに磁気ヘッドアセンブリを取り付けた状態の平面図である。
【図２】本発明の磁気ヘッドユニットに磁気ヘッドアセンブリを取り付けた状態の側面図である。
【図３】本発明の磁気ヘッドユニットの平面図である。
【発明を実施するための形態】
【００１１】
以下、図面に基づいて、本発明の磁気ヘッドユニットを説明する。
図１は、本発明の磁気ヘッドユニットに磁気ヘッドアセンブリを取り付けた状態の平面図である。図２は、本発明の磁気ヘッドユニットに磁気ヘッドアセンブリを取り付けた状態の側面図である。磁気ヘッドユニット１０は、磁気ヘッドアセンブリ２０（ヘッドジンバルアセンブリ）を磁気ヘッドユニット１０に固定する磁気ヘッドアセンブリ固定部１０１、磁気ヘッドアセンブリ回路パターン２０３の位置を決める磁気ヘッドアセンブリ回路パターン位置決め部１０２、磁気ヘッドアセンブリ回路パターン２０３と回路接続用配線１０５を接続する磁気ヘッドアセンブリ回路パターン接触部１０３、磁気ヘッドアセンブリ配線部２０２を載置する磁気ヘッドアセンブリ配線用溝１０４、アンプ等の電子部品と接続する回路接続用配線１０５、磁気ヘッドユニット１０のベースとなる磁気ヘッドアセンブリ受け台１０６からなる。
【００１２】
磁気ヘッドアセンブリ固定部１０１は、磁気ヘッドアセンブリ２０が磁気ヘッド検査をするにあたり、磁気ヘッドアセンブリ２０を正常な位置に取り付ける。磁気ヘッドアセンブリ２０の磁気ヘッドアセンブリ位置決め部２１０が、磁気ヘッドアセンブリ固定部１０１の係合部（図示していない）と係合することで、磁気ヘッドアセンブリ２０が正しい位置に取り付けられる。また、磁気ヘッドアセンブリ２０は、磁気ヘッドアセンブリ固定部１０１のネジ溝部（図示していない）に、磁気ヘッドアセンブリ取り付け用穴２０９を合わせて置き、その上からネジ（図示していない）を締めることで、磁気ヘッドアセンブリ固定部１０１に固定される。
【００１３】
磁気ヘッドアセンブリ回路パターン位置決め部１０２は、磁気ヘッドアセンブリ回路パターン２０３の外形を基準にして、磁気ヘッドアセンブリ回路パターン２０３が正しく配置できるようにする。磁気ヘッドアセンブリ回路パターン２０３が正しい位置に配置できないと、回路接続用配線１０５と接触がとれなくなって導通不良となるからである。磁気ヘッドアセンブリ回路パターン２０３の外形の少なくとも２辺を係合の基準として選ぶ。選んだ２辺の一部分あるいは全部が設置される磁気ヘッドアセンブリ回路パターン位置決め部１０２の個所は、磁気ヘッドアセンブリ回路パターン２０３の外形の寸法公差を考慮した寸法に加工してある。
【００１４】
磁気ヘッドアセンブリ回路パターン接触部１０３は、両先端部１０３ａ、１０３ｂに弾性を有する導通ピンである。磁気ヘッドアセンブリ回路パターン２０３とは、上側の先端部１０３ａが弾性によって磁気ヘッドアセンブリ回路パターン２０３を押圧しながら接触する。また、回路接続用配線１０５とは、下側の先端部１０３ｂが弾性によって回路接続用配線１０５を押圧しながら接触する。具体的には、磁気ヘッドアセンブリ回路パターン接触部１０３は、磁気ヘッドアセンブリ回路パターン２０３に設けられたパッド２０４〜２０８と、回路接続用配線１０５に設けられたパッド（図示していない）に対応した位置に配置される。このようにすることで、磁気ヘッドアセンブリ回路パターン２０３と回路接続用配線１０５は、磁気ヘッドアセンブリ回路パターン接触部１０３によって導通することができる。
【００１５】
磁気ヘッドアセンブリ回路パターン接触部１０３は、磁気ヘッドアセンブリ受け台１０６と蓋部１０７の間に挟み込み、蓋部１０７をネジ締めすることで固定される。
磁気ヘッドアセンブリ回路パターン接触部１０３は、磁気ヘッドアセンブリ回路パターン２０３が回路接続用配線１０５を含むことを避け、電気素子を搭載した状態で磁気ヘッドアセンブリ２０を交換しなければならない作業性を改善することができる。
両先端部１０３ａ、１０３ｂに弾性を有することで、磁気ヘッドユニット１０が磁気ヘッドの検査中に振動するなどしても、磁気ヘッドアセンブリ回路パターン２０３と回路接続用配線１０５の押圧を一定にすることができるので、導通の信頼性を高めることができる。
【００１６】
磁気ヘッドアセンブリ配線用溝１０４は、磁気ヘッドアセンブリ配線部２０２を載置するものである。磁気ヘッドアセンブリ配線用溝１０４は、磁気ヘッドアセンブリ配線部２０２が載置することができればよいので、磁気ヘッドアセンブリ配線部２０２の幅よりも大きな寸法であればよい。
なお、磁気ヘッドアセンブリ配線部２０２が長いときは、その一部を固定することができるように磁気ヘッドアセンブリ配線部２０２の寸法公差を考慮した寸法に加工してもよい。このようにすることで、磁気ヘッドアセンブリ配線部２０２が、磁気ヘッドユニット１０の磁気ヘッドの検査中に振動してしまうことを防ぐこともできる。
回路接続用配線１０５は、スライダ２０１がディスクへ読み書きするための信号を発生させる電子回路（図示していない）に接続されている。
磁気ヘッドアセンブリ受け台１０６は、磁気ヘッドアセンブリ２０を取り付けて、磁気ヘッド検査を行うために磁気ヘッド検査装置に固定することができるような取り付け部（図示していない）がある。
【００１７】
磁気ヘッドアセンブリ２０の交換について説明する。
検査済みの磁気ヘッドアセンブリ２０は、ジンバル２１１の磁気ヘッドアセンブリ取り付け用穴２０９を貫通する磁気ヘッドアセンブリ固定部１０１のネジを緩めてはずす。蓋部１０７を磁気ヘッドアセンブリ受け台１０６からはずすと、磁気ヘッドアセンブリ回路パターン位置決め部１０２に固定されている磁気ヘッドアセンブリ回路パターン２０３をはずすことができる。これで、検査済みの磁気ヘッドアセンブリ２０を磁気ヘッドユニット１０から取り外すことができる。
【００１８】
検査対象の磁気ヘッドアセンブリ２０は、磁気ヘッドユニット１０の磁気ヘッドアセンブリ回路パターン位置決め部１０２に磁気ヘッドアセンブリ回路パターン２０３を挿入して、磁気ヘッドアセンブリ回路パターン２０３の位置決めと固定を行う。蓋部１０７を磁気ヘッドアセンブリ受け台１０６に固定すると、磁気ヘッドアセンブリ回路パターン接触部１０３の上側の先端部１０３ａが、磁気ヘッドアセンブリ回路パターン２０３のバッド２０４〜２０８と接続される。磁気ヘッドアセンブリ配線部２０２を磁気ヘッドアセンブリ配線用溝１０４に挿入する。
磁気ヘッドアセンブリ２０のジンバル２１１は、磁気ヘッドアセンブリ位置決め部２１０を磁気ヘッドアセンブリ固定部１０１と係合させる。ジンバル２１１は、磁気ヘッドユニット１０に対する位置決めができる。ジンバル２１１は、磁気ヘッドアセンブリ取り付け用穴２０９を磁気ヘッドユニット１０の磁気ヘッドアセンブリ固定部１０１に置いてネジ止めされる。
【００１９】
次に、磁気ヘッドアセンブリ２０について説明する。図３は、本発明の磁気ヘッドユニットの平面図である。
磁気ヘッドアセンブリ２０は、ディスクに対して読み書きを行うスライダ２０１、スライダ２０１を固定するジンバル２１１、スライダ２０１と磁気ヘッドアセンブリ回路パターン２０３を接続する磁気ヘッドアセンブリ配線部２０２、回路接続用配線１０５と接続する磁気ヘッドアセンブリ回路パターン２０３からなる。
スライダ２０１は、ディスクに直接信号を書き込んだり、ディスクに記録された信号を直接読み込んだりするヘッドである。
【００２０】
ジンバル２１１は、スライダ２０１単体ではディスクに読み書きできないので、スライダ２０１を固定するとともに、磁気ヘッドユニット１０に磁気ヘッドアセンブリ２０を取り付けたときに、スライダ２０１がディスクを読み書きできる位置に配置するものである。ジンバル２１１はフラットな形状であり、途中に断面方向に弾性力を発生する曲げ加工を施してはいない。これは、磁気ヘッドユニット１０の交換の際に曲げを考慮して位置決めをしなくて済むので、交換が楽になる。また、磁気ヘッドユニット１０が、ディスクに一定の高さで安定して読み書きできるようにもなる。
【００２１】
ジンバル２１１には、ジンバル２１１を磁気ヘッドアセンブリ固定部１０１の係合部に係合するように、磁気ヘッドアセンブリ位置決め部２１０を有する。磁気ヘッドアセンブリ位置決め部２１０は、図３においてはストレート形状である。磁気ヘッドアセンブリ位置決め部２１０の形状は、磁気ヘッドアセンブリ固定部１０１と係合できればよいので、ストレート形状以外にも突起や切り欠けなどの形状を用いても構わない。
磁気ヘッドアセンブリ位置決め部２１０は、磁気ヘッドアセンブリ２０がネジで固定されるとき、ネジの回転方向に磁気ヘッドアセンブリ２０が回転してしまうことを防止する役目もあるので、２個所以上が好ましい。
また、ジンバル２１１には、磁気ヘッドアセンブリ固定部１０１にネジにより固定される磁気ヘッドアセンブリ取り付け用穴２０９がある。磁気ヘッドアセンブリ取り付け用穴２０９の穴径は、ネジの軸径よりも大きくネジ頭径より小さくする。
【００２２】
磁気ヘッドアセンブリ配線部２０２は、スライダ２０１と磁気ヘッドアセンブリ回路パターン２０３を導通するものである。磁気ヘッドアセンブリ配線部２０２は、磁気ヘッドアセンブリ回路パターン２０３と一体の基板としても、別の基板としても構わない。
磁気ヘッドアセンブリ回路パターン２０３は、磁気ヘッドアセンブリ回路パターン接触部１０３を介して、回路接続用配線１０５と接続するものである。磁気ヘッドアセンブリ回路パターン２０３には、回路接続用配線１０５のバッドに対応した位置にパッド２０４〜２０８を設けてある。パッド２０４〜２０８は、検査に必要な数を設けてもよいし、スライダ２０１とは接続しないダミーのパッドを設けるようにしてもよい。
【符号の説明】
【００２３】
１０  磁気ヘッドユニット
２０  磁気ヘッドアセンブリ
１０１  磁気ヘッドアセンブリ固定部
１０２  磁気ヘッドアセンブリ回路パターン位置決め部
１０３  磁気ヘッドアセンブリ回路パターン接触部
１０４  磁気ヘッドアセンブリ配線用溝
１０５  回路接続用配線
１０６  磁気ヘッドアセンブリ受け台
１０７  蓋部
２０１  スライダ
２０２  磁気ヘッドアセンブリ配線部
２０３  磁気ヘッドアセンブリ回路パターン
２０４、２０５、２０６、２０７、２０８  パッド
２０９  磁気ヘッドアセンブリ取り付け用穴
２１０  磁気ヘッドアセンブリ位置決め部
２１１  ジンバル。
【図１】
2014017032.tif 000003
【図２】
2014017032.tif 000004
【図３】
2014017032.tif 000005